(57)【要約】  本発明は、電子機器の使用上の便宜性を効果的に向上させたデータケーブル装置を開示する。前記データケーブル装置は、データケーブル装置の両端部の各々に形成され、電子機器またはバッテリー充電アダプターに電気的に接続するように構成されたＵＳＢコネクターと、一端が一つのＵＳＢコネクターと電気的に接続し、他端が他のＵＳＢコネクターと電気的に接続する少なくとも一つ以上のデータ線と、外部端子が形成された印刷回路基板を備えた保護回路モジュールと、前記印刷回路基板の内部端子と電気的に接続する外部入出力端子、一方向へ延びた円筒状であり、内側中心に形成された内部電極層、前記内部電極層の外側に形成された分離膜層、前記分離膜層の外側に形成された外部電極層、及び前記外部電極層の外面を囲む内部絶縁被覆層が備えられたケーブル電池と、前記ケーブル電池の外面の少なくとも一部を囲むように形成された外部絶縁被覆層と、を含む。
2021516431.tif 000002
【特許請求の範囲】
【請求項１】
データケーブル装置の両端部の各々に形成され、電子機器またはバッテリー充電アダプターに電気的に接続するように構成されたＵＳＢコネクターと、
複数の電子機器が互いに電気的信号を交換するように一端が一つのＵＳＢコネクターと電気的に接続し、他端が他のＵＳＢコネクターと電気的に接続する少なくとも一つ以上のデータ線と、
前記ＵＳＢコネクターと電気的に接続する外部端子が形成された印刷回路基板を備えた保護回路モジュールと、
前記印刷回路基板の内部端子と電気的に接続する外部入出力端子、一方向へ延びた円筒状であり、内側中心に形成された内部電極層、前記内部電極層の外側に形成された分離膜層、前記分離膜層の外側に形成された外部電極層、及び前記外部電極層の外面を囲む内部絶縁被覆層が備えられたケーブル電池と、
前記ケーブル電池の外面の少なくとも一部を囲むように形成された外部絶縁被覆層と、を含むことを特徴とする、データケーブル装置。
【請求項２】
前記データ線は、前記内部絶縁被覆層と前記外部絶縁被覆層との間に介在されたことを特徴とする、請求項１に記載のデータケーブル装置。
【請求項３】
前記データ線が、前記内部電極層よりも内側中心に位置していることを特徴とする、請求項１に記載のデータケーブル装置。
【請求項４】
前記印刷回路基板が軟性印刷回路基板であり、
前記軟性印刷回路基板は、前記内部絶縁被覆層と前記外部絶縁被覆層との間に介在されたことを特徴とする、請求項１から請求項３のいずれか一項に記載のデータケーブル装置。
【請求項５】
前記軟性印刷回路基板には、少なくとも一つ以上のＬＥＤレンズが設けられ、
前記ＬＥＤレンズは、前記外部絶縁被覆層に開口された部位を通して外部に露出したことを特徴とする、請求項４に記載のデータケーブル装置。
【請求項６】
前記ＵＳＢコネクターが、複数の接続ピンが形成された接続端子部と、前記接続端子部と連結される開口が形成され、所定の内部空間が形成されたハウジングと、を備え、
前記印刷回路基板が、前記ハウジングの内部に内蔵されていることを特徴とする、請求項１から請求項５のいずれか一項に記載のデータケーブル装置。
【請求項７】
前記ＵＳＢコネクターと前記ケーブル電池とは、所定の距離で離隔し、
前記ＵＳＢコネクターと前記ケーブル電池との離隔空間には、中空構造の軟性部材が内蔵されたことを特徴とする、請求項１から請求項６のいずれか一項に記載のデータケーブル装置。
【請求項８】
前記外部絶縁被覆層の外面には、外側方向へ突出した線状の突起が前記外部絶縁被覆層の延び方向に沿って延びて形成されたことを特徴とする、請求項１から請求項７のいずれか一項に記載のデータケーブル装置。
【請求項９】
前記保護回路モジュールは、前記ＵＳＢコネクターに供給された電力の少なくとも一部を前記ケーブル電池に供給して充電するか、または前記ケーブル電池から出力された電力を前記ＵＳＢコネクターに供給するように制御するマイクロプロセッサユニットを備えたことを特徴とする、請求項１から請求項８のいずれか一項に記載のデータケーブル装置。
【請求項１０】
前記マイクロプロセッサユニットは、前記データケーブル装置の一端部に形成されたＵＳＢコネクターに外部から供給された電力の一部を、他端部に形成されたＵＳＢコネクターに接続した充電が必要な電子機器に供給し、外部に供給された電力の残りを前記ケーブル電池への外部入出力端子に供給して前記ケーブル電池が充電されるように構成されたことを特徴とする、請求項９に記載のデータケーブル装置。
【請求項１１】
請求項１から請求項１０のいずれか一項に記載のデータケーブル装置を含む、電子システム。
【請求項１２】
請求項１から請求項１０のいずれか一項に記載のデータケーブル装置を含む、携帯電話。
【発明の詳細な説明】
【技術分野】
【０００１】
本発明は、ケーブル電池を備えるデータケーブル装置に関し、より詳しくは、電子機器の使用上の便宜性を効果的に向上させたデータケーブル装置に関する。
【０００２】
本出願は、２０１８年７月１３日出願の韓国特許出願第１０−２０１８−００８１８９４号に基づく優先権を主張し、該当出願の明細書及び図面に開示された内容は、すべて本出願に組み込まれる。
【背景技術】
【０００３】
通常、モバイルフォン、スマートフォン、タブレットＰＣ、ポータブルメディアプレーヤー（ＰＭＰ）などの携帯用電子機器は、電源供給のための電池が内部に内蔵され、外部電源を用いて電池を充電して使用する。
【０００４】
この際、電池には、充電機器を用いて充電電力が供給され得る。そして、多くの充電器機は、１１０Ｖ／２２０Ｖ交流電源を直流電源に整流した後、これをスイチング電源（ＳＭＰＳ：Ｓｗｉｔｃｈｉｎｇ  Ｍｏｄｅ  Ｐｏｗｅｒ  Ｓｕｐｐｌｙ）を用いて充電に適した所定の電圧レベルの直流電源に降圧して供給し得る。
【０００５】
また、最近は、このような携帯用電子機器同士の、またはコンピューターと電子機器とのデータ通信のためにデータケーブルを用いている。このようなデータ通信のみならず、このようなデータケーブルは、データケーブルの一側を充電機器に結合した後、データケーブルの他側を携帯用電子機器に接続する方式で、携帯用電子機器を充電する役割も果たすように構成されている。そして、このようなデータケーブルは、コンピューターのＵＳＢポート電源で携帯用電子機器を充電することにも使用可能である。
【０００６】
しかし、使用者が、外部電力が供給される電源コンセントの使用が困難な場所にいるか、または移動中の場合には、外部電力が必要な充電器機を用いる携帯用電子機器の充電が不可能である。
【０００７】
これによって、従来技術では、外出または旅行のように、外部電源の供給を受けにくい場所で携帯用電子機器を簡便に充電するためには、必ず補助バッテリーを備えなければならないという不具合があった。
【発明の概要】
【発明が解決しようとする課題】
【０００８】
本発明は、上記問題点に鑑みてなされたものであり、詳しくは、電子機器の使用上の便宜性を効果的に向上させたデータケーブル装置を提供することを目的とする。
【０００９】
本発明の他の目的及び長所は、下記する説明によって理解でき、本発明の実施例によってより明らかに分かるであろう。また、本発明の目的及び長所は、特許請求の範囲に示される手段及びその組合せによって実現することができる。
【課題を解決するための手段】
【００１０】
上記の課題を達成するための本発明によるデータケーブル装置は、
データケーブル装置の両端部の各々に形成され、電子機器またはバッテリー充電アダプターに電気的に接続するように構成されたＵＳＢコネクターと、
複数の電子機器が互いに電気的信号を交換するように一端が一つのＵＳＢコネクターと電気的に接続し、他端が他のＵＳＢコネクターと電気的に接続する少なくとも一つ以上のデータ線と、
前記ＵＳＢコネクターと電気的に接続する外部端子が形成された印刷回路基板を備えた保護回路モジュールと、
前記印刷回路基板の内部端子と電気的に接続する外部入出力端子、一方向へ延びた円筒状であり、内側中心に形成された内部電極層、前記内部電極層の外側に形成された分離膜層、前記分離膜層の外側に形成された外部電極層、及び前記外部電極層の外面を囲む内部絶縁被覆層が備えられたケーブル電池と、
前記ケーブル電池の外面の少なくとも一部を囲むように形成された外部絶縁被覆層と、を含む。
【００１１】
また、前記データ線は、前記内部絶縁被覆層と前記外部絶縁被覆層との間に介在され得る。
【００１２】
さらに、前記データ線は、前記内部電極層よりも内側中心に位置し得る。
【００１３】
そして、前記印刷回路基板は、軟性印刷回路基板であり、前記軟性印刷回路基板は、前記内部絶縁被覆層と前記外部絶縁被覆層との間に介在され得る。
【００１４】
また、前記軟性印刷回路基板には、少なくとも一つ以上のＬＥＤレンズが設けられ、前記ＬＥＤレンズは、前記外部絶縁被覆層に開口された部位を通して外部に露出し得る。
【００１５】
さらに、前記ＵＳＢコネクターは、複数の接続ピンが形成された接続端子部と、前記接続端子部と連結される開口が形成され、所定の内部空間が形成されたハウジングと、を備える。
【００１６】
そして、前記印刷回路基板は、前記ハウジングの内部に内蔵され得る。
【００１７】
さらに、前記ＵＳＢコネクターと前記ケーブル電池とは、所定の距離で離隔し、前記ＵＳＢコネクターと前記ケーブル電池との離隔空間には、中空構造の軟性部材が内蔵され得る。
【００１８】
また、前記外部絶縁被覆層の外面には、外側方向へ突出した線状の突起が前記外部絶縁被覆層の延び方向に沿って延びて形成され得る。
【００１９】
さらに、前記保護回路モジュールは、前記ＵＳＢコネクターに供給された電力の少なくとも一部を前記ケーブル電池に供給して充電するか、または前記ケーブル電池から出力された電力を前記ＵＳＢコネクターに供給するように制御するマイクロプロセッサユニットを備え得る。
【００２０】
そして、前記マイクロプロセッサユニットは、前記データケーブル装置の一端部に形成されたＵＳＢコネクターに外部から供給された電力の一部を、他端部に形成されたＵＳＢコネクターに接続した充電が必要な電子機器に供給し、外部に供給された電力の残りを前記ケーブル電池への外部入出力端子に供給して前記ケーブル電池が充電されるように構成され得る。
【００２１】
なお、上記の課題を達成するための本発明による電子システムは、前記データケーブル装置を含む。
【００２２】
また、上記の課題を達成するための本発明による携帯電話は、前記データケーブル装置を含む。
【発明の効果】
【００２３】
本発明の一面によると、データケーブル装置にケーブル電池を備えることで、外部の充電装置から電力の供給を受けることができない状況でも、充電が必要な電子機器に電力を供給することができる。さらに、データケーブルとケーブル電池とを一体化することで、装置の大きさを最小化することができる。さらに、データケーブル装置は、柔軟なケーブル電池が適用され、使用者が本発明の装置を狭い空間に収納することができ、電子機器に連結する場合における使用上の便宜性をより高めることができる。
【００２４】
また、本発明の一面によれば、データ線がケーブル電池の内部電極層の内側に形成されることで、ケーブル電池の内部電極層の中心の空間を活用することができ、データケーブル装置の内部空間を効果的に活用することができる。また、データ線は、内部電極層の内側面を外側方向へ支持することで、内部電極層の変形や脱離を防止する役割を果たし、ケーブル電池の耐久性を向上させることができる。
【００２５】
さらに、本発明の一面によれば、装置に内蔵されたデータ線をケーブル電池の外側に位置させることで、ケーブル電池の内側に位置した場合より、ケーブル電池で発生した熱の影響を受けにくい。これによって、データ線は、熱による耐久性の低下または変形が発生することを防止することができ、データ線の構成が変形されることを防止することができる。
【００２６】
そして、本発明の一面によれば、データケーブル装置は、ケーブル電池とＵＳＢコネクターとの間に配置される軟性部材を備えることで、ＵＳＢコネクターとケーブル電池との間に発生する、頻繁な折り曲げによる内蔵ケーブル電池の短絡の発生を効果的に減少させることができる。
【００２７】
さらに、本発明の一面によれば、データケーブル装置の外部絶縁被覆層に複数の線状の突起を形成することで、外部絶縁被覆層の外側面の面積をより広げることができ、ケーブル電池で発生した熱を外部へ速く放熱することができる。また、このような線状の突起は、弾性素材から構成される場合、データケーブルの内部構成に外部の物体から直接的に衝撃が加えられる前、線状の突起が外部の物体と先に接触することで、内部構成の損傷を減らすことができる。
【００２８】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００２９】
【図１】本発明の一実施例によるデータケーブル装置の概略的な形態を示しす斜視図である。
【図２】図１のデータケーブル装置の線Ｃ−Ｃ’による断面を概略的に示す断面図である。
【図３】本発明の一実施例によるデータケーブル装置の一部構成を分離して概略的に示す分離斜視図である。
【図４】本発明の他の実施例によるデータケーブル装置の左右方向へ切断した断面を概略的に示す断面図である。
【図５】本発明の他の実施例によるデータケーブル装置の一部構成を分離して概略的に示す分離斜視図である。
【図６】本発明の他の実施例によるデータケーブル装置の一部を概略的に示す斜視図である。
【図７】本発明の一実施例によるデータケーブル装置の一部を概略的に示す一部正面図である。
【図８】本発明の一実施例によるデータケーブル装置の一部を概略的に示す一部正面図である。
【図９】本発明のさらに他の実施例によるデータケーブル装置の一部構成を分離して概略的に示す分離斜視図である。
【図１０】本発明のさらに他の実施例によるデータケーブル装置の一部構成を概略的に示す斜視図である。
【図１１】図１０のデータケーブル装置の線Ｄ−Ｄ’による断面部位を概略的に示す断面図である。
【発明を実施するための形態】
【００３０】
以下、添付された図面を参照して本発明の望ましい実施例を詳しく説明する。これに先立ち、本明細書及び特許請求の範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００３１】
したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００３２】
図１は、本発明の一実施例によるデータケーブル装置の概略的な形態を示した斜視図である。そして、図２は、図１のデータケーブル装置の線Ｃ−Ｃ’による断面を概略的に示す断面図である。
【００３３】
図１及び図２を参照すれば、本発明のデータケーブル装置２００は、ＵＳＢコネクター２１０、保護回路モジュール２４０、ケーブル電池１００及び外部絶縁被覆層２５０を含み得る。
【００３４】
具体的には、上記データケーブル装置２００は、上記データケーブル装置２００の両端部に形成された二つのＵＳＢコネクター２１０、２２０を備え得る。即ち、一つのＵＳＢコネクター２１０は、データケーブル装置２００の一端部に形成され得、他の一つのＵＳＢコネクター２２０は、他端部に形成され得る。そして、上記ＵＳＢコネクター２１０は、ＵＳＢ収容端子が形成された電子機器（図示せず）またはバッテリー充電アダプター（図示せず）に電気的に接続するように構成され得る。
【００３５】
例えば、図１に示したように、Ｆ方向から見たとき、データケーブル装置２００は、後方に位置したＵＳＢコネクター２１０及び前方に位置したＵＳＢコネクター２２０を備え得る。また、上記ＵＳＢコネクター２１０とＵＳＢコネクター２２０とが相互にデータケーブルで連結されている。
【００３６】
一方、本明細書に記載された、前、後、左、右、上、下のように方向を示す用語は、観測者の位置や対象が置かれた形態によって変わり得る。但し、本明細書においては、説明の便宜のために、Ｆ方向から見たときを基準にして、前、後、右、左、上、下などの方向を区分して示す。
【００３７】
ここで、上記電子機器は、例えば、デスクトップＰＣ、ノートブックＰＣ、スマートフォン、テレビ、補助バッテリー充電器、携帯用スピーカーまたは音楽プレーヤーであり得る。しかし、これらに限定されず、上記電子機器は、ＵＳＢコネクター２１０（ＵＳＢポート）が挿入接続するＵＳＢ収容端子が形成された電子機器であれば、適用可能である。
【００３８】
また、上記ＵＳＢコネクター２１０は、Ａタイプ、ＢタイプまたはＣタイプのＵＳＢコネクター２１０であり得る。ここで、上記ＡタイプのＵＳＢコネクター２１０は、４個の接続ピン２１４ａを備え得る。このうち、二つはデータ通信のために使われ得、一つは電源用であり得、残りの一つは、接地用に使用可能である。しかし、ＵＳＢコネクター２１０は、このようなタイプのみに限定されず、現在に公知の全てのＵＳＢタイプが適用可能である。また、他のＵＳＢコネクター２２０は、上記ＵＳＢコネクター２１０と同じタイプであるか、または大きさや種類が異なるタイプのＵＳＢコネクターであり得る。
【００３９】
また、上記データケーブル装置２００は、複数の電子機器が互いに電気的信号を交換するように構成された少なくとも一つ以上のデータ線２３０を含み得る。
【００４０】
具体的には、上記データ線２３０は、一端が一つのＵＳＢコネクター２１０と電気的に接続し、他端が他のＵＳＢコネクター２２０と電気的に接続し得る。即ち、上記二つのＵＳＢコネクター２１０、２２０は、上記データ線２３０を介して電気的信号を伝達でき、これによって、上記二つのＵＳＢコネクター２１０、２２０の各々に接続した複数の電子機器が互いに電気的信号を交換することができる。
【００４１】
上記ＵＳＢコネクター２１０は、複数の接続ピン２１４ａ、上記接続ピン２１４ａが埋め立てられた接続板２１４ｂ及び上記接続板２１４ｂを囲んでいる四角の管状プレートを備えた接続管２１２（図１）が備えれた接続端子部２１４を備え得る。
【００４２】
さらに、上記データケーブル装置２００は、印刷回路基板２４５を備えた保護回路モジュール２４０を含み得る。具体的には、上記印刷回路基板２４５は、電気絶縁性ボードに通電可能な回路が印刷された形態であり得る。
【００４３】
そして、上記ＵＳＢコネクター２１０は、上記接続端子部２１４と連結される開口（図示せず）が形成され、所定の内部空間が形成されたハウジング２１６を備え得る。
【００４４】
そして、上記印刷回路基板２４５には、上記ＵＳＢコネクター２１０と電気的に接続する外部端子２４５ｂが形成され得る。さらに、上記印刷回路基板２４５には、上記ケーブル電池１００と電気的に接続するように内部端子２４５ａが形成され得る。
【００４５】
また、上記印刷回路基板２４５は、センス抵抗、充放電制御スイッチ、ヒューズ２４９、ＦＥＴ素子またはマイクロプロセッサユニット２４４などをさらに備え得る。
【００４６】
また、図２及び図３を参照すれば、上記ケーブル電池１００は、外部入出力端子１９０、内部電極層１１０、分離膜層１２０、外部電極層１３０及び内部絶縁被覆層１４０を含み得る。
【００４７】
具体的には、上記ケーブル電池１００の上記外部入出力端子１９０は、電気伝導性の素材を含み得る。また、上記外部入出力端子１９０は、一部が上記ケーブル電池１００から外部へ突出して形成され得る。
【００４８】
そして、上記外部入出力端子１９０は、上記内部電極層１１０及び上記外部電極層１３０の各々に接続するように位置し得る。さらに、上記外部入出力端子１９０は、上記印刷回路基板２４５の内部端子２４５ａと電気的に接続するように構成され得る。
【００４９】
例えば、上記外部入出力端子１９０は、銅またはアルミニウム素材を含み得る。また、上記外部入出力端子１９０は、電線１９１を用いて上記印刷回路基板２４５の内部端子２４５ａと電気的に接続し得る。
【００５０】
また、上記内部電極層１１０は、内部が空いている中空構造の一方向へ延びた円筒状、または内部が電極物質で満たされた円筒状であり得る。そして、上記内部電極層１１０は、上記ケーブル電池１００の内側中心に形成され得る。さらに、上記内部電極層１１０は、断面が管状である電極活物質が凝集した形態を有し得る。この際、上記内部電極層１１０は、中空構造の内側または内部に形成された電極集電体（図示せず）を備え得る。
【００５１】
また、上記電極集電体は、長細いワイヤ状であるか、メッシュ型または管形態のシート状であり得る。さらに、上記電極集電体は、表面に電極活物質が塗布された形態であり得る。
【００５２】
例えば、図２に示したように、上記内部電極層１１０は、中空の管状である電極活物質が凝集した形態を有し得る。この際、上記電極集電体は、ワイヤ状であり得る。例えば、上記内部電極層１１０の電極活物質は、負極活物質であり得る。
【００５３】
また、上記分離膜層１２０は、上記内部電極層１１０の外側面を囲むように形成され得る。上記分離膜層１２０は、イオンの移動通路になる電解質と、絶縁素材を備え、イオンが透過するシート状の分離膜と、を含み得る。
【００５４】
さらに、上記外部電極層１３０は、上記内部電極層１１０と反対の極性を有する電極活物質を備え得る。そして、上記外部電極層１３０は、上記分離膜層１２０の外側面を囲むように形成され得る。さらに、上記外部電極層１３０は、断面が管状である電極活物質が凝集した形態を有し得る。この際、前記外部電極層１３０は、中空構造の内側に形成された上記電極集電体（図示せず）を備え得る。
【００５５】
また、上記電極集電体は、長細いワイヤ状であるか、メッシュ型または管形態のシート状であり得る。さらに、上記電極集電体は、表面に電極活物質が塗布された形態であり得る。
【００５６】
例えば、図２に示したように、上記外部電極層１３０は、中空の管状である電極活物質が凝集した形態を有し得る。この際、上記電極集電体は、ワイヤ状であり得る。そして、上記外部電極層１３０の電極活物質は、正極活物質であり得る。
【００５７】
そして、上記電極集電体は、電極活物質の電気化学反応によって生成された電子を集めるか、電気化学反応に必要な電子を供給する役割を果たすものであって、通常、銅やアルミニウムなどの金属を使用する。
【００５８】
さらに、上記内部絶縁被覆層１４０は、上記外部電極層１３０の外面を囲むように形成され得る。具体的には、上記内部絶縁被覆層１４０は、電気絶縁性の  素材を含み得る。例えば、上記内部絶縁被覆層１４０は、ポリ塩化ビニル（ＰＶＣ,Ｐｏｌｙｖｉｎｙｌ  Ｃｈｌｏｒｉｄｅ）素材を含み得る。
【００５９】
したがって、本発明のこのような構成によれば、上記データケーブル装置２００は、上記ケーブル電池１００を備えることで、外部充電装置から外部電力の供給を受けにくい状況においても、充電が必要な電子機器に電力を供給できる。
【００６０】
さらに、データケーブルとケーブル電池１００とを一体化することで、装置の大きさを最小化することができる。また、データケーブル装置２００は、柔軟なケーブル電池１００を適用して使用者が本発明の装置を狭い空間に収納することができ、電子機器に接続する場合にも使用上の便宜性を向上させることができる。
【００６１】
また、上記外部絶縁被覆層２５０は、上記ケーブル電池１００の外面の少なくとも一部を囲むように形成され得る。具体的には、上記外部絶縁被覆層２５０は、電気絶縁性の素材を含んだ外被を含み得る。
【００６２】
例えば、上記外被は、ＰＶＣ素材を含み得る。上記外被の内側には、スズめっきの編組シールド（図示せず）またはスパイラルシールドが位置し得る。そして、上記編組シールドの内側には、アルミニウムでめっきのポリエステルインナーシールド（図示せず）が位置し得る。これによって、上記内部に内蔵されたケーブル電池１００及びデータ線２３０を外部衝撃から保護でき、外部電磁波を遮断してデータ通信のノイズ発生を減らすことができる。
【００６３】
また、上記印刷回路基板２４５は、軟性印刷回路基板（ＦＰＣＢ）であり得る。ここで、上記軟性印刷回路基板２４５は、例えば、電気絶縁性かつ軟性の材料を用いた基板に通電回路が印刷されたものであり得る。例えば、上記軟性材料は、ポリイミドを用い得る。しかし、必ずしもこのような素材のみに限定されることではなく、軟性印刷回路基板に適用される基板材料であれば、いずれも適用可能である。
【００６４】
さらに、上記軟性印刷回路基板２４５は、上記内部絶縁被覆層１４０と上記外部絶縁被覆層２５０との間に介在され得る。そして、上記軟性印刷回路基板２４５は、上記ケーブルデータ装置２００の一端部に形成されたＵＳＢコネクター２１０と上記他端部に形成された他のＵＳＢコネクター２２０とを連結するように長く延びた形態であり得る。
【００６５】
または、上記軟性印刷回路基板２４５は、上記ケーブルデータ装置２００の両端部に形成されたＵＳＢコネクター２１０、２２０のいずれか一つに接続し、接続していない残りのＵＳＢコネクターが位置した方向へ延びた形態であり得る。さらに、上記軟性印刷回路基板２４５は、装置の中央を基準で両端部のＵＳＢコネクター２１０、２２０のいずれか一つが位置した一側に位置し得る。
【００６６】
例えば、図３に示したように、上記軟性印刷回路基板２４５は、一端部に形成されたＵＳＢコネクター２１０と電気的に接続するように装置の中央を基準にしてケーブルの延びた長手方向の一側に位置し得る。この際、上記軟性印刷回路基板２４５は、上記内部絶縁被覆層１４０と上記外部絶縁被覆層２５０との間に介在されて位置し得る。
【００６７】
また、上記軟性印刷回路基板２４５には、少なくとも一つ以上のＬＥＤレンズ２４７が設けられ得る。具体的には、上記ＬＥＤレンズ２４７は、上記外部絶縁被覆層２５０に開口された部位を通して外部に一部が露出するように構成され得る。さらに、上記ＬＥＤレンズ２４７は、電池の充電状態を示すように構成され得る。
【００６８】
例えば、図１に示したように、上記軟性印刷回路基板２４５は、三つのＬＥＤレンズ２４７を備え得る。また、上記軟性印刷回路基板２４５は、例えば、上記ケーブル電池１００が７０％以上から１００％充電された場合、三つの  ＬＥＤレンズ２４７のうち、三つが点灯されるように構成され得る。さらに、上記軟性印刷回路基板２４５は、上記ケーブル電池１００が３０％以上７０％  未満に充電された場合、三つのＬＥＤレンズ２４７のうち二つが点灯されるように構成され得る。そして、上記軟性印刷回路基板２４５は、上記ケーブル電池１００が３０％未満に充電された場合、三つのＬＥＤレンズ２４７のうち一つが点灯されるように構成され得る。
【００６９】
一方、図１及び図２をさらに参照すれば、上記データ線２３０は、上記内部電極層１１０よりも内側中心に位置し得る。即ち、上記データ線２３０は、上記内部電極層１１０の内側に形成された空間に位置し得る。上記内部電極層１１０の内側には、上記ケーブル電池１００の電磁波が上記データ線２３０に影響（撹乱）を与え得るため、このような撹乱を減らすために遮蔽層（図示せず）がさらに形成され得る。例えば、上記遮蔽層は、内側がアルミニウムでめっきされたポリエステルシールドであり得る。
【００７０】
例えば、図２に示したように、４個のデータ線２３０は、上記内部電極層１１０の内側に形成された空間に位置し得る。そして、４個のデータ線２３０は、上記内部電極層１１０の内側面を外側方向へ支持するように形成され得る。
【００７１】
したがって、本発明のこのような構成によれば、上記データ線２３０が内部電極層１１０の内側に形成されることで、上記ケーブル電池１００の内部電極層１１０の中心の空間を活用することができ、データケーブル装置２００の内部空間の活用度を高めることができる。また、上記データ線２３０は、上記内部電極層１１０の内側面を外側方向へ支持することで、上記内部電極層１１０の変形や脱離を防止する役割を果たすことができ、ケーブル電池１００の耐久性を向上させることができる。
【００７２】
そして、図３は、本発明の一実施例によるデータケーブル装置の一部構成を分離して概略的に示す分離斜視図である。なお、図３では、図１のＵＳＢコネクター２１０からハウジング２１６及び接続管２１２を分離して除去した形態を示した。
【００７３】
図１及び図３を参照すると、上記軟性印刷回路基板２４５の一端部には、外部端子２４５ｂが形成され得る。さらに、上記外部端子２４５ｂは、上記ＵＳＢコネクター２１０の接続ピン２１４ａと電気的に接続した他の印刷回路基板２１５と電気的に接続し得る。
【００７４】
また、上記他の印刷回路基板２１５は、上記ＵＳＢコネクター２１０に供給された電力を上記ケーブル電池１００に供給できるように接続するか、または上記ケーブル電池１００から出力された電力を上記ＵＳＢコネクター２１０に供給するように回路（図示せず）及び接続端子２１５ａが形成され得る。
【００７５】
そして、上記軟性印刷回路基板２４５の一端部には、内部端子２４５ａが形成され得る。さらに、上記内部端子２４５ａは、上記ケーブル電池１００の一端部に形成された外部入出力端子１９０と電気的に接続するように構成され得る。
【００７６】
例えば、図３に示したように、上記軟性印刷回路基板２４５は、上記内部絶縁被覆層１４０と上記外部絶縁被覆層２５０との間に介在されて位置し得る。また、上記軟性印刷回路基板２４５の一端部には、二つの外部端子２４５ｂが形成され得る。さらに、上記二つの外部端子２４５ｂは、上記ＵＳＢコネクター２１０の接続ピン２１４ａと電気的に接続した他の印刷回路基板２１５の入力端子２１５ｂ、接続端子２１５ａ及び電線２４５ｃを介して接続し得る。
【００７７】
さらに、上記軟性印刷回路基板２４５の一端部には、他の印刷回路基板２１５に制御信号を伝達するように構成された信号端子２４６がさらに形成され得る。即ち、上記軟性印刷回路基板２４５は、上記信号端子２４６を介して他の印刷回路基板２１５と制御信号を交換できるように構成されている。
【００７８】
そして、図３に示したように、上記軟性印刷回路基板２４５には、一端部に内部電極層１１０及び外部電極層１３０の各々に接続した二つの外部入出力端子１９０と電線１９１を介して電気的に接続した二つの内部端子２４５ａが形成され得る。そして、４個のデータ線２３０は、他の印刷回路基板２１５と電気的に接続し得る。
【００７９】
図４は、本発明の他の実施例によるデータケーブル装置の左右方向へ切断した断面を概略的に示す断面図である。
【００８０】
図４を参照すれば、本発明の他の実施例によるデータケーブル装置２００Ａは、上記データ線２３０が上記内部絶縁被覆層１４０と上記外部絶縁被覆層２５０との間に介在され得る。
【００８１】
具体的には、上記データ線２３０は、上記内部絶縁被覆層１４０と上記外部絶縁被覆層２５０との間に位置した上記軟性印刷回路基板２４５が形成されていない部位に位置し得る。即ち、上記軟性印刷回路基板２４５は、上記内部絶縁被覆層１４０と上記外部絶縁被覆層２５０との間の空間を全て占めておらず、一部の空間のみを占めるように形成され得る。
【００８２】
例えば、図４に示したように、４個のデータ線２３０は、上記内部絶縁被覆層１４０と上記外部絶縁被覆層２５０との間に介在されて位置し得る。
【００８３】
したがって、本発明のこのような構成によれば、上記データ線２３０を上記ケーブル電池１００の外側に位置させることで、上記ケーブル電池１００の内側に位置した場合よりも、上記ケーブル電池１００で発生した熱の影響を受けにくい。これによって、上記データ線２３０は、熱による耐久性の低下または変形の発生を防止することができ、データ線２３０の構成が変形されることを防止することができる。
【００８４】
図５は、本発明の他の実施例によるデータケーブル装置の一部構成を分離して概略的に示す分離斜視図である。
【００８５】
図１及び図５を参照すれば、本発明の他の実施例によるデータケーブル装置の印刷回路基板２４２Ｂは、上記ハウジング２１６の内部に内蔵された形態であり得る。また、上記印刷回路基板２４２Ｂは、硬性印刷回路基板２４２Ｂであり得る。
【００８６】
さらに、上記印刷回路基板２４２Ｂには、マイクロプロセッサユニット２４４が実装され得る。具体的には、上記マイクロプロセッサユニット２４４は、上記ＵＳＢコネクター２１０に供給された電力の少なくとも一部を上記ケーブル電池１００に供給して充電するか、または上記ケーブル電池１００から出力された電力を上記ＵＳＢコネクター２１０に供給するように構成され得る。
【００８７】
そして、上記マイクロプロセッサユニット２４４は、上記ＵＳＢコネクター２１０に充電の必要な電子機器が接続する場合、上記ＵＳＢコネクター２１０に電力を供給するように上記ケーブル電池１００を放電させるように構成され得る。例えば、この際、上記マイクロプロセッサユニット２４４は、充放電制御スイッチ（図示せず）がターンオンされるように制御し得る。
【００８８】
さらに、上記マイクロプロセッサユニット２４４は、上記データケーブル装置２００の一端部に形成されたＵＳＢコネクター２１０の外部から供給された電力の一部を、他端部に形成されたＵＳＢコネクター２２０に接続した充電が必要な電子機器に供給するように制御し得る。これと共に、上記マイクロプロセッサユニット２４４は、上記電子機器に供給してから残った電力を上記ケーブル電池１００の外部入出力端子１９０に供給することで上記ケーブル電池１００が充電されるように制御し得る。
【００８９】
この際、例えば、上記マイクロプロセッサユニット２４４は、他の一つのＵＳＢコネクター２２０に電力を供給する電力線と、上記ケーブル電池１００に電力を供給する電力線に共に電力が供給されるように、ＵＳＢコネクター２２０に電力を供給のための制御スイッチ及びケーブル電池１００の充放電制御スイッチをターンオンし得る。
【００９０】
また、上記硬性印刷回路基板２４２Ｂには、上記接続端子部２１４の接続ピン２１４ａと電気的に接続した外部端子２４２ｂが形成され得る。そして、上記硬性印刷回路基板２４２Ｂには、上記ケーブル電池１００の外部入出力端子１９０と電線１９１を介して電気的に接続する内部端子２４２ａが形成され得る。さらに、上記内部端子２４２ａは、上記データ線２３０とも電気的に接続できる。
【００９１】
さらに、上記硬性印刷回路基板２４２Ｂは、メモリー素子２４１をさらに含み得る。
【００９２】
図６は、本発明の他の実施例によるデータケーブル装置の一部を概略的に示す斜視図である。
【００９３】
図５と共に図６を参照すれば、上記硬性印刷回路基板２４２Ｂは、少なくとも一つ以上のＬＥＤレンズ２４７を上部に備え得る。また、上記上部に備えられたＬＥＤレンズ２４７は、上記ＵＳＢコネクター２１０Ｂのハウジング２１６Ｂの内部から外部へ貫通して形成された貫通口Ｈ１を通して外部に露出するように構成され得る。即ち、上記ＵＳＢコネクター２１０Ｂのハウジング２１６Ｂには、上記ＬＥＤレンズ２４７と対応する位置に貫通口Ｈ１が形成され得る。
【００９４】
例えば、図５を参照すれば、上記硬性印刷回路基板２４２Ｂは、三つのＬＥＤレンズ２４７が上部に形成され得る。また、図６を参照すれば、三つのＬＥＤレンズは、上記ＵＳＢコネクター２１０Ｂのハウジング２１６Ｂに形成された貫通口Ｈ１を貫通して外部に露出するように形成され得る。
【００９５】
図７及び図８は、本発明の一実施例によるデータケーブル装置の一部を概略的に示す正面図である。
【００９６】
図１と共に図７及び図８を参照すれば、上記データケーブル装置２００の上記ＵＳＢコネクター２１０と隣接した外部絶縁被覆層２５０には、面取り構造２５０ａが形成され得る。また、上記データケーブル装置２００の上記他のＵＳＢコネクター２２０と隣接した外部絶縁被覆層２５０には、ラウンド構造２５０ｂが形成され得る。
【００９７】
具体的には、上記ＵＳＢコネクター２１０のハウジング２１６に接した外部絶縁被覆層２５０部位と、上記データケーブル装置２００の長手方向の中心に近い外部絶縁被覆層２５０部位との直径が相違に形成され得る。そして、上記外部絶縁被覆層２５０の直径が相異なる二つの部位の連結部位には、面取り構造２５０ａまたはラウンド構造２５０ｂが形成され得る。
【００９８】
例えば、図７に示したように、上記外部絶縁被覆層２５０の直径が相異なる他の二つの部位の連結部位には、面取り構造２５０ａが形成され得る。また、図８に示したように、上記外部絶縁被覆層２５０の直径が相異なる他の部位の連結部位には、ラウンド構造２５０ｂが形成され得る。
【００９９】
したがって、本発明のこのような構成によれば、上記外部絶縁被覆層２５０に相異なる直径の部位を形成し、その二つの部位を連結する部位に面取り構造２５０ａまたはラウンド構造２５０ｂを形成することで、ケーブルの頻繁な折り曲げによって内蔵されたケーブル電池１００の短絡が発生するか、またはデータ線２３０の断線が発生することを防止することができる。即ち、上記面取り構造２５０ａ及びラウンド構造２５０ｂは、上記ケーブルの折り曲げによる応力を、内蔵されたケーブル電池１００またはデータ線２３０に集中的に伝達されないように、より広い範囲に応力を分散させる効果を奏する。
【０１００】
図９は、本発明のさらに他の実施例によるデータケーブル装置の一部構成を分離して概略的に示す分離斜視図である。図９においては、本発明のデータケーブル装置２００の内部構造を示すために、軟性部材２６０の外部絶縁被覆層２５０及びＵＳＢコネクター２１０のハウジング２１６を省略して示した。
【０１０１】
図９を参照すれば、上記ＵＳＢコネクター２１０と上記ケーブル電池１００は、所定の距離で離隔して配置され得る。そして、上記ＵＳＢコネクター２１０と上記ケーブル電池１００との離隔空間には、外部絶縁被覆層２５０の内部に軟性部材２６０が内蔵され得る。
【０１０２】
さらに、上記軟性部材２６０は、内部が前後方向へ穿孔された中空構造を有し得る。また、上記軟性部材２６０の中空構造の内部には、上記データ線２３０及び上記電線１９１の外面を囲むように構成された電気絶縁性のコーティング被覆材２６２を備え得る。具体的には、上記コーティング被覆材２６２は、相対的に、上記データ線２３０及び上記電線１９１よりも太い直径を有し得る。さらに、上記コーティング被覆材２６２が上記軟性部材２６０の中空構造の内部に位置し、上記軟性部材２６０を外部方向へ支持するように構成され得る。上記軟性部材２６０は、ゴムまたはシリコーン素材からなり得る。
【０１０３】
さらに、上記データ線２３０及び上記ケーブル電池１００の外部入出力端子１９０と電気的に接続した電線１９１は、上記軟性部材２６０のコーティング被覆材２６２に接触・連結されるように構成され得る。即ち、上記ＵＳＢコネクター２１０は、上記データ線２３０及び電線１９１を介してケーブル電池１００及び他のＵＳＢコネクター２２０と電気的に接続し得る。
【０１０４】
例えば、図９に示したように、一つの軟性部材２６０は、上記ＵＳＢコネクター２１０と上記ケーブル電池１００との間に付加され得る。この際、上記軟性部材２６０は、前後方向へ穿孔された中空構造が形成されており、上記中空構造の内部には、四つのデータ線２３０及び電線１９１及びこれらを囲むように形成された６個のコーティング被覆材２６２が付加され得る。
【０１０５】
したがって、本発明のこのような構成によれば、上記データケーブル装置２００は、上記ケーブル電池１００と上記ＵＳＢコネクター２１０との間に配置される軟性部材２６０を備えることで、上記ＵＳＢコネクター２１０と上記ケーブル電池１００との間に発生する頻繁な折り曲げによって内蔵されたケーブル電池１００に短絡が発生するか、またはデータ線２３０の断線が発生することを防止することができる。
【０１０６】
即ち、上記軟性部材２６０は、折り曲げがよく発生する部位に付加されることで、上記データケーブルの折り曲げによる応力が、内蔵されたケーブル電池１００またはデータ線２３０に直接的に伝達されることを効果的に減少させることができる。
【０１０７】
図１０は、本発明のさらに他の実施例によるデータケーブル装置の一部構成を概略的に示す斜視図である。そして、図１１は、図１０のデータケーブル装置の線Ｄ−Ｄ’線による断面部位を概略的に示す断面図である。
【０１０８】
図１０及び図１１を参考すれば、上記外部絶縁被覆層２５０Ｃの外面には、外側方向へ突出した線状の突起２５２が形成され得る。具体的には、上記線状の突起２５２は、Ｆ方向から見たとき、上記外部絶縁被覆層２５０Ｃに沿って長手方向（前後方向）へ延びて形成され得る。即ち、上記線状の突起２５２は、両端部に形成されたＵＳＢコネクター２１０Ｃ、２２０Ｃが位置した方向へ延びて形成され得る。
【０１０９】
例えば、図１１に示したように、上記外部絶縁被覆層２５０Ｃの外面には、７個の線状の突起２５２が形成され得る。また、図１０に示したように、上記  ７個の線状突起は、上記データケーブル装置２００Ｃの上記外部絶縁被覆層２５０Ｃに沿って長手方向へ延びて形成され得る。
【０１１０】
さらに、上記線状の突起２５２の内部には、上記印刷回路基板２４５の素子２４９、２４４が位置し得る。上記素子は、例えば、センス抵抗、充放電制御スイッチ、ヒューズ２４９、ＦＥＴ素子またはマイクロプロセッサユニット２４４などであり得る。即ち、上記線状の突起２５２が上記印刷回路基板２４５の素子を囲むように形成され得る。また、上記複数の素子が上記線状の突起２５２が前後方向へ延びた構造に沿って一列に配置されて上記線状の突起２５２内に位置し得る。
【０１１１】
したがって、本発明のこのような構成によれば、上記データケーブル装置２００Ｃの外部絶縁被覆層２５０Ｃに複数の線状の突起２５２を形成することで、上記外部絶縁被覆層２５０Ｃの外側面の面積をより広げることができ、上記ケーブル電池１００で発生した熱を外部へ速く放熱し得る。さらに、このような線状の突起２５２は、弾性素材から構成される場合、上記データケーブル装置の内部構成２４５、１００、２３０に外部物体によって直接的に衝撃が加えられる前、上記線状の突起２５２に外部物体が先に接触することで、ヒューズ、スイッチなどの内部構成の損傷を保護することができる。
【０１１２】
また、本発明による電子システムは、上記データケーブル装置２００を含み得る。例えば、上記電子システムは、バッテリー充電アダプターをさらに含み得る。即ち、上記電子システムは、電子器機の内蔵した電池の充放電を実施するか、または上記電子器機と他の電子器機とのデータ通信のために上記データケーブル装置２００を備え得る。
【０１１３】
なお、本明細書において、上、下、左、右、前、後のような方向を示す用語が使用されたが、このような用語は相対的な位置を示し、説明の便宜のためのものであるだけで、対象となる事物の位置や観測者の位置などによって変わり得ることは、当業者にとって自明である。
【０１１４】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【産業上の利用可能性】
【０１１５】
本発明は、データケーブル装置に関する。また、本発明の上記データケーブル装置が備えられた電子システムまたは携帯電話関連産業に利用可能である。
【符号の説明】
【０１１６】
１００    ケーブル電池
１１０    内部電極層
１２０    分離膜層
１３０    外部電極層
１４０    内部絶縁被覆層
１９０    外部入出力端子
２００    データケーブル装置
２１０、２２０    ＵＳＢコネクター
２３０    データ線
２４０    保護回路モジュール
２４４    マイクロプロセッサユニット
２４５    印刷回路基板
２４７    ＬＥＤレンズ
２５０    外部絶縁被覆層
２５２    線状の突起
２６０    軟性部材
【図１】
2021516431.tif 000003
【図２】
2021516431.tif 000004
【図３】
2021516431.tif 000005
【図４】
2021516431.tif 000006
【図５】
2021516431.tif 000007
【図６】
2021516431.tif 000008
【図７】
2021516431.tif 000009
【図８】
2021516431.tif 000010
【図９】
2021516431.tif 000011
【図１０】
2021516431.tif 000012
【図１１】
2021516431.tif 000013
【手続補正書】
【提出日】令和2年9月8日(2020.9.8)
【手続補正１】
【補正対象書類名】図面
【補正対象項目名】図７
【補正方法】変更
【補正の内容】
【図７】
2021516431.tif 000014
【国際調査報告】
2021516431.tif 000015
2021516431.tif 000016
2021516431.tif 000017
2021516431.tif 000018